(57)【要約】【課題】半嵌合を防止することができ、かつ耐用年数及び組付け作業性を向上させることができる半嵌合防止コネクタを提供する。【解決手段】半嵌合防止コネクタ１０は、ロックアーム２４を有する一方のコネクタ２０と、一方のコネクタ２０に嵌合した際にロックアーム２４のロック部２４ａが係止される斜め係止板３３を有する他方のコネクタ３０と、他方のコネクタ３０の外面３１ｂと斜め係止板３３の先端部３３ａとの間に設けられ、両コネクタ２０，３０の半嵌合時に一方のコネクタ２０を反嵌合方向に付勢して両コネクタ２０，３０を離間させる弾性部材３４と、を備え、コネクタ半嵌合時に、ロックアーム２４により斜め係止板３３の先端部３３ａを介して弾性部材３４が押圧されて弾性変形し、コネクタ嵌合完了時に、弾性部材３４の斜め係止板３３の先端部３３ａを介したロックアーム２４による押圧状態が解除されて弾性部材３４が元の状態に復元するようにした。【選択図】図１
2019053900.tif 000002
【特許請求の範囲】
【請求項１】
一方の端子とロックアームを有する一方のコネクタと、
前記一方のコネクタに嵌合した際に前記ロックアームのロック部が係止される斜め係止板と他方の端子を有する他方のコネクタと、
前記他方のコネクタの外面と前記斜め係止板の先端部との間に起立するように設けられ、前記両コネクタの半嵌合時に前記一方のコネクタを反嵌合方向に付勢して該両コネクタを離間させる弾性部材と、を備え、
前記一方のコネクタのロックアームのロック部が前記他方のコネクタの前記斜め係止板の先端部に係止されるまでの前記両コネクタの半嵌合時に、前記ロックアームにより前記斜め係止板の先端部を介して前記弾性部材が押圧されて弾性変形し、
前記一方のコネクタのロックアームのロック部が前記他方のコネクタの前記斜め係止板の先端部に係止される前記両コネクタの嵌合完了時に、前記弾性部材の前記斜め係止板の先端部を介した前記ロックアームによる押圧状態が解除されて該弾性部材が元の状態に復元するようにしたことを特徴とする半嵌合防止コネクタ。
【請求項２】
請求項１記載の半嵌合防止コネクタであって、
前記他方のコネクタの外面に一対のリブを突設し、前記一対のリブ間に前記斜め係止板の基端部を揺動自在に枢支し、前記他方のコネクタの外面と前記斜め係止板の先端部との間に前記弾性部材を起立するように配置したことを特徴とする半嵌合防止コネクタ。
【発明の詳細な説明】
【技術分野】
【０００１】
本発明は、半嵌合防止機能を備えた半嵌合防止コネクタに関する。
【背景技術】
【０００２】
この種の半嵌合防止コネクタとして、図５と図６に示すものが知られている。この半嵌合防止コネクタ１は、図５と図６に示すように、雌ハウジング３に雌端子４を有すると共に、雌ハウジング３の外側に係止突起３ａを有する雌コネクタ２と、雄ハウジング６に雄端子７を有すると共に、雌コネクタ２に嵌合した際に、係止突起３ａに係止されロック突部６ｂ付きのロックアーム６ａを有する雄コネクタ５と、雌ハウジング３の円環状のバネ収容部３Ａ内に設けられ、雌，雄コネクタ２，５の嵌合時に雄ハウジング６の円筒状のフード部６Ａの先端に押圧されて弾性変形し、雌，雄コネクタ２，５の半嵌合時に雌，雄コネクタ２，５を離間させる大径の圧縮コイルバネ８と、を備えている。尚、図６及び図７中符号９は、バネ抜け防止のためのバネ止め部材である。
【０００３】
そして、半嵌合（中途嵌合）を防止するために、圧縮コイルバネ８の反発力を雌，雄コネクタ２，５の離脱力以上とすることで、雌コネクタ２の係止突起３ａと雄コネクタ５のロックアーム６ａのロック突部６ｂとが係止するまで、圧縮コイルバネ８の反発力（復元力）により雌端子４と雄端子７が接触しない状態まで押し戻され、雌，雄コネクタ２，５の半嵌合において雌端子４と雄端子７が導通しないようになっている。
【先行技術文献】
【特許文献】
【０００４】
【特許文献１】特開平９−１２９３１３号公報
【発明の概要】
【発明が解決しようとする課題】
【０００５】
しかしながら、前記従来の半嵌合防止コネクタ１では、コネクタ嵌合後に半嵌合防止用の圧縮コイルバネ８に常時加重がかかるため、圧縮コイルばね８の耐用期間が短くなる。また、雌ハウジング３の円環状のバネ収容部３Ａに設けられたバネ止め部材９は、別部材となるため、ハウジングの組付け作業時の作業の効率が悪くなる。
【０００６】
そこで、本発明は、前記した課題を解決すべくなされたものであり、半嵌合を防止することができ、かつ、耐用年数及び組付け作業性を向上させることができる半嵌合防止コネクタを提供することを目的とする。
【課題を解決するための手段】
【０００７】
本発明は、半嵌合を防止する機能を備えた半嵌合防止コネクタであって、一方の端子とロックアームを有する一方のコネクタと、前記一方のコネクタに嵌合した際に前記ロックアームのロック部が係止される斜め係止板と他方の端子を有する他方のコネクタと、前記他方のコネクタの外面と前記斜め係止板の先端部との間に起立するように設けられ、前記両コネクタの半嵌合時に前記一方のコネクタを反嵌合方向に付勢して該両コネクタを離間させる弾性部材と、を備え、前記一方のコネクタのロックアームのロック部が前記他方のコネクタの前記斜め係止板の先端部に係止されるまでの前記両コネクタの半嵌合時に、前記ロックアームにより前記斜め係止板の先端部を介して前記弾性部材が押圧されて弾性変形し、前記一方のコネクタのロックアームのロック部が前記他方のコネクタの前記斜め係止板の先端部に係止される前記両コネクタの嵌合完了時に、前記弾性部材の前記斜め係止板の先端部を介した前記ロックアームによる押圧状態が解除されて該弾性部材が元の状態に復元するようにしたことを要旨とする。
【０００８】
また、本発明の半嵌合防止コネクタは、前記他方のコネクタの外面に一対のリブを突設し、前記一対のリブ間に前記斜め係止板の基端部を揺動自在に枢支し、前記他方のコネクタの外面と前記斜め係止板の先端部との間に前記弾性部材を起立するように配置したことを特徴とする。
【発明の効果】
【０００９】
本発明によれば、コネクタ嵌合後に弾性部材に荷重がかからないため、弾性部材の耐久性が上がり、半嵌合防止コネクタの耐用年数を長くすることができる。また、ロックアームのロック部を係止する斜め係止板で弾性部材を保持させて、斜め係止板にロック部係止用と弾性部材保持用の機能を兼用させたことにより、その分、部品点数の削減となって、ハウジングの組付け作業性を向上させることができる。
【図面の簡単な説明】
【００１０】
【図１】本発明の一実施形態の半嵌合防止コネクタの要部を断面で示す斜視図である。
【図２】上記半嵌合防止コネクタの嵌合前の状態を示す断面図である。
【図３】上記半嵌合防止コネクタの嵌合途中の状態を示す断面図である。
【図４】上記半嵌合防止コネクタの嵌合完了状態を示す断面図である。
【図５】従来の半嵌合防止コネクタの嵌合前の状態を示す説明図である。
【図６】上記従来の半嵌合防止コネクタの嵌合完了の状態を示す説明図である。
【発明を実施するための形態】
【００１１】
以下、本発明の一実施形態を図面に基づいて説明する。
【００１２】
図１は本発明の一実施形態の半嵌合防止コネクタの要部を断面で示す斜視図、図２は同コネクタの嵌合前の状態を示す断面図、図３は同コネクタの嵌合途中の状態を示す断面図、図４は同コネクタの嵌合完了状態を示す断面図である。
【００１３】
図１〜図４に示すように、半嵌合防止コネクタ１０は、硬質合成樹脂製で円筒状の雄ハウジング２１を仕切る隔壁２２に設けれられてフード部２３内に突出する複数の雄端子（一方の端子）２５を有すると共に、隔壁２２より外側に一対のロックアーム２４，２４を有する雄コネクタ（一方のコネクタ）２０と、硬質合成樹脂製で円筒状の雌ハウジング３１を仕切る円板状の隔壁３２に複数の雌端子（他方の端子）３５を設けて、雄ハウジング２１の円筒状のフード部２３の内周面２３ａ側に嵌合される雌コネクタ（他方のコネクタ）３０と、円筒状の雌ハウジング３１の外周面３１ａの先端側の上下位置に形成された平坦面（外面）３１ｂに起立するように（平坦面３１ｂに対して垂直に）配置され、一対のロックアーム２４，２４の各ロック突起（ロック部）２４ａの押圧により弾性変形して、一対のロックアーム２４，２４の各ロック突起２４ａが雌ハウジング３１の外周面３１ａ上に設けられた一対の斜め係止板３３，３３に係止されるまでの両コネクタ２０，３０の半嵌合時に雄コネクタ２０を反嵌合方向Ｂに付勢して両コネクタ２０，３０を離間させる反発力（復元力）を有する一対の圧縮コイルバネ（弾性部材）３４，３４と、を備えている。
【００１４】
雄コネクタ２０の円筒状の雄ハウジング２１を仕切る円板状の隔壁２２には、円筒状のフード部２３内に突出するピン状の雄端子２５を突設してある。この雄端子２５には電線２６が接続されている。
【００１５】
また、雄コネクタ２０の雄ハウジング２１のフード部２３の上下位置には、一対のロックアーム２４，２４まで延びる一対の切欠き溝部２３ｂ，２３ｂを形成してある。この切欠き溝部２３ｂ内には、雌コネクタ３０の斜め係止板３３及び圧縮コイルバネ３４が挿入されるようになっている。
【００１６】
さらに、雄ハウジング２１の外周面２１ａの隔壁２２に対向する位置には、一対の斜め係止板３３，３３の各先端部３３ａにそれぞれ係止されるロック突起２４ａを有した一対のロックアーム２４，２４をＬ字状に一体突出形成してある。この時の係止保持力は、圧縮コイルバネ３４の反発力以上となっている。
【００１７】
雌コネクタ３０の円筒状の雌ハウジング３１の外周面３１ａの先端側の上下位置（各平坦面３１ｂの両側）には、各一対のリブ３１ｃ，３１ｃを一体突出形成してある。この一対のリブ３１ｃ，３１ｃ間には、一対の斜め係止板３３，３３の各基端部３３ｂを支軸３７を介して揺動自在に枢支してある。そして、雌ハウジング３１の外周面３１ａと一対の斜め係止板３３，３３の各先端部３３ａとの間には、圧縮コイルバネ３４が起立するように配置してある。
【００１８】
また、一対の斜め係止板３３，３３の各基端部３３ｂの下側は、一対のリブ３１ｃ，３１ｃ間に掛け渡された規制軸３８に当接していて、各斜め係止板３３の傾斜状態を保持していると共に、雌ハウジング３１の平坦面３１ｂと一対の斜め係止板３３，３３の各先端部３３ａとの間に起立するように配置された圧縮コイルバネ３４が外側へ抜けないようになっている。さらに、圧縮コイルバネ３４と規制軸３８とにより斜め係止板３３の先端部３３ａを常に上向きにして、ロックアーム２４のロック突起２４ａを斜め係止板３３の先端部３３ａに係止し易くしてある。
【００１９】
そして、雄コネクタ２０のロックアーム２４のロック突起２４ａが雌コネクタ３０の斜め係止板３３の先端部３３ａに係止されるまでの両コネクタ２０，３０の半嵌合時に、ロックアーム２４のロック突起２４ａにより斜め係止板３３の先端部３３ａを介して圧縮コイルバネ３４が押圧されて圧縮変形し、また、雄コネクタ２０のロックアーム２４のロック突起２４ａが雌コネクタ３０の斜め係止板３３の先端部３３ａに係止される両コネクタ２０，３０の嵌合完了時（正規嵌合時）に、圧縮コイルバネ３４の斜め係止板３３の先端部３３ａを介したロックアーム２４のロック突起２４ａによる押圧状態が解除されて圧縮コイルバネ３４が元の状態に復元するようになっている。
【００２０】
また、雌コネクタ３０の円筒状の雌ハウジング３１を仕切る隔壁３２には、複数の円筒状の雌端子３５を突設してある。各雌端子３５は隔壁３２に一体突出形成された仕切板３２ａにより仕切られている。さらに、各雌端子３５には電線３６が接続されている。
【００２１】
以上実施形態の半嵌合防止コネクタ１０によれば、雄コネクタ２０の嵌合開始時に、雌コネクタ３０の雌ハウジング３１の平坦面３１ｂと斜め係止板３３の各先端部３３ａとの間に起立するように配置された圧縮コイルバネ３４が、雄コネクタ２０に設けられたロックアーム２４のロック突起２４ａの押圧により圧縮されることにより正規嵌合となる。
【００２２】
また、圧縮コイルバネ３４が完全に圧縮されると同時に雄コネクタ２０の雄端子２５と雌コネクタ３０の雌端子３５の接触が始まる構造とすることで、図３に示すように、両コネクタ２０，３０の半嵌合状態では、圧縮コイルバネ３４の反発力で両コネクタ２０，３０は雄，雌端子２５，３５が接触しない状態に離脱する。この作用により、両コネクタ２０，３０の半嵌合を防止する。
【００２３】
また、従来の半嵌合防止コネクタでは、両コネクタの嵌合状態において、圧縮コイルバネに断続的に荷重が掛かった状態となるが、本実施形態の半嵌合防止コネクタ１０では、両コネクタ２０，３０の嵌合後に圧縮コイルバネ３４に掛かる荷重が解放されることにより、圧縮コイルバネ３４の耐用期間が長くなることで半嵌合防止コネクタ１０の長寿命化に寄与する。尚、雌ハウジング３１及び斜め係止板３３と共に圧縮コイルバネ３４を一体化することで、コネクタの構造部材が削減となる。
【００２４】
雄ハウジング２１と雌ハウジング３１の嵌合を進め、雌ハウジング３１に設けられた斜め係止板３３と雄ハウジング２１に設けられたロックアーム２４のロック突起２４ａが係止することで、図４に示すように、雄，雌コネクタ２０，３０が完全嵌合され、雄コネクタ２０の雄端子２５と雌コネクタ３０の雌端子３５の接続が完了する。
【００２５】
このように、両コネクタ２０，３０の嵌合後に圧縮コイルバネ３９に荷重がかからないため、圧縮コイルバネ３９の耐久性が上がり、半嵌合防止コネクタ１０の耐用年数を長くすることができる。また、ロックアーム２４のロック突起２４ａを係止する斜め係止板３３で圧縮コイルバネ３４を保持させて、斜め係止板３３にロック突起２４ａの係止用の機能と圧縮コイルバネ３４の保持用の機能を兼用させたことにより、その分、部品点数の削減となって、両ハウジング２１，３１の組付け作業性を向上させることができる。
【００２６】
尚、前記実施形態によれば、ロックアームを一対設けたが、ロックアームを３つ以上設けても良い。さらに、ハウジングを円筒状に形成したが、矩形箱状等の形状に形成しても良い。
【００２７】
また、前記実施形態によれば、斜め係止板の傾いた状態を圧縮コイルバネと規制軸とにより維持するようにしたが、斜めに傾いているガイド等により斜め係止板の傾いた状態を維持するようにしても良い。
【符号の説明】
【００２８】
１０  半嵌合防止コネクタ
２０  雄コネクタ（一方のコネクタ）
２４  ロックアーム
２４ａ  ロック突起（ロック部）
２５  雄端子（一方の端子）
３０  雌コネクタ（他方のコネクタ）
３１ｂ  平坦面（外面）
３１ｃ，３１ｃ  一対のリブ
３３  斜め係止板
３３ａ  先端部
３３ｂ  基端部
３４  圧縮コイルバネ（弾性部材）
３５  雌端子（他方の端子）
Ｂ  反嵌合方向
【図１】
2019053900.tif 000003
【図２】
2019053900.tif 000004
【図３】
2019053900.tif 000005
【図４】
2019053900.tif 000006
【図５】
2019053900.tif 000007
【図６】
2019053900.tif 000008